(57)【特許請求の範囲】
【請求項１】
座部と、前記座部に腰かける着座者の背中を受ける背凭部と、前記背凭部の後方に配置されて前記背凭部を支持するとともに、前記座部に連結される背凭支持部とを備える椅子であって、
前記背凭支持部の上端近傍に配置される略水平な軸であり、前記背凭部の上側寄りを枢支し、前記背凭部の下端部を前後方向に揺動自在とする枢支軸と、
前記下端部を前後方向に進退させるとともに、前記下端部の後方への移動を規制する後方移動規制部とを備え、
前記枢支軸は、前記着座者の略第一腰椎から略第一胸椎までの高さに配置され、前記下端部は前記着座者の略仙骨上部から略第４腰椎までの高さに配置され、
前記後方移動規制部は、
一端側に正ネジ、他端側に逆ネジを設ける長ネジ部材であって、長手方向を前記枢支軸に略平行状態で、前記背凭部又は前記背凭支持部に回動自在に保持される長ネジ部材と、
前記正ネジ及び前記逆ネジにそれぞれが螺合する一対のナット部材と、
前記一対のナット部材にそれぞれ配置され、前記長手方向に直交する一対の第２枢支軸と、
前記長ネジ部材と対向配置される対向部材であり、前記長ネジ部材が前記背凭部に保持される場合は、前記背凭支持部に保持され、前記長ネジ部材が前記背凭支持部に保持される場合は、前記背凭部に保持される対向部材と、
前記対向部材に並置される一対の枢支軸であって、前記第２枢支軸に略平行な一対の第３枢支軸と、
前記一対の第２枢支軸のうち一方の第２枢支軸に一端側を枢支され、前記一対の第３枢支軸のうち一方の第３枢支軸に他端側を枢支される第１連結部材と、
前記一対の第２枢支軸のうち他方の第２枢支軸に一端側を枢支され、前記一対の第３枢支軸のうち他方の第３枢支軸に他端側を枢支される第２連結部材とを備え、
前記一対のナット部材は、前記長ネジ部材の回動に伴って前記長手方向に沿って相反する方向に離接移動し、前記対向部材と前記長ネジ部材との間隔が伸縮することを特徴とする椅子。
【発明の詳細な説明】
【技術分野】
【０００１】
本発明は、椅子及びその椅子に腰かける着座者の背中を受ける背受方法に関する。
【背景技術】
【０００２】
人の脊柱の生理的湾曲した状態、すなわち脊柱の自然な状態を左側面から視た場合の図を、図１に示す。なお、図１において、各椎骨の左横の番号は、各椎骨の番号に対応し、例えば腰椎の番号５は、第５腰椎を示す（図２及び図３においても同じ）。このように、脊柱の生理的湾曲した状態では、仙骨上端部は前上方向に傾斜しており、仙骨から腰椎を経て胸椎の下側部分に至る範囲で、第２腰椎〜第３腰椎近傍を頂点として前方に張り出した略Ｃ字状の第１湾曲部１が形成される。そして、その上方では、略第６〜第７胸椎近傍を頂点として後方に張り出した略逆Ｃ字状の第２湾曲部２とが形成される。この第２湾曲部２の湾曲が大きくなった姿勢が、円背（或いは猫背）といわれる姿勢である。
【０００３】
更に、胸椎の上側部分から頸椎を含んだ範囲では、第４頸椎近傍を頂点として前方に張り出した第３湾曲部３が形成される。このように、背骨は前後に湾曲しながら、各椎骨が連動することで、身体を滑らかに動作させ、筋肉・自律神経・内臓等の働きを正常に維持すると考えられている。
【０００４】
これに対し、例えば背凭が無い椅子に腰かけた着座時の脊柱の例を、図２に示す。このように、背凭が無い状態では、上述した生理的湾曲状態の脊柱から、仙骨上端が略１〜３ｃｍ後方に移動すると、第４及び第５腰椎も後方に移動し、上述した第１湾曲部１の湾曲が小さくなりやすい。このように、脊柱の生理的湾曲状態な姿勢からの変化は、腰への負荷を与えやすく、腰痛等を引き起こす傾向にある。
【０００５】
また、上述した様に、第４及び第５腰椎が後方に移動すると、腰部から上側部分の重心も後方に移動するため、腰部から上側部分は不安定な状態となる。この不安定性を修正するために、背中を丸めることで胸椎の中間部から上側部分の重心を前方に移動させて体のバランスを図ろうとする。そのため、上述した第２湾曲部２の湾曲が大きくなり、円背を引き起こすメカニズムの一つとされている。
【０００６】
また、背中を丸めることで、頸椎も前方に傾斜するため、顔面が前下方を向く。そこで、この顔面を立て直すために、第３湾曲部３の湾曲を大きくして顔面を正面に向ける。この第３湾曲部の湾曲を大きくした姿勢は、仰向きの際の第３湾曲部の湾曲と略同じであり、この姿勢を長時間継続することは、いわゆるストレートネックを発症要因の一つとされている。
【０００７】
さらに、仙骨上端部を後方に移動させると、図３に示すように、第１湾曲部１の湾曲は略消失し、例えば腰椎から胸椎にかけて後方に逆Ｃ字状に湾曲する等、更に姿勢が悪化して、内臓に対する負担等が増加しやすくなる。このように、仙骨の傾斜のわずかな変化が脊柱全体に影響を与え、円背やストレートネック等を発症させるという問題がある。すなわち、生理的な脊柱の湾曲を維持した状態で着座することが、円背やストレートネックの防止となる。
【０００８】
このような問題に対し、着座者に生理的に安静な状態を維持可能な椅子に関する様々な提案がされている（例えば特許文献１）。
【先行技術文献】
【特許文献】
【０００９】
【特許文献１】特表２０１０−５１６３８０号公報
【発明の概要】
【発明が解決しようとする課題】
【００１０】
特許文献１によれば、三次元フレームと、前記フレームに調節自在の高さで枢動自在に取り付けられた着座部とを有する椅子であって、脊柱を支えるための高さが調節自在の短い背凭を有し、前記背凭の背当たり面と前記着座部の着座面との間の角度は９０°未満であり、前記背凭の背当たり面の上端と前記着座部との間の距離は２５０ｍｍ未満であり、前記着座部は水平面に対して上下両方に傾斜可能であり、傾斜停止手段を備え、前記フレームと前記着座部との間に、前記着座部の動きを円滑にするとともにリセットする機構が設けられたものが開示されている。
【００１１】
しかし、特許文献１によれば、例えば背凭と着座者の脊柱の各椎或いは各椎骨との関係は具体的に開示されておらず、着座者の脊柱の生理的湾曲を維持する効果を奏することが困難な虞があるという問題がある。
【００１２】
そこで、本発明は、上記従来の問題に鑑みてなされたものであり、その目的は、着座者が脊柱の生理的湾曲を維持しつつ着座可能となり、円背の防止に好適な椅子及び着座者の背受方法を提供することにある。
【課題を解決するための手段】
【００１３】
請求項１の発明は、座部と、前記座部に腰かける着座者の背中を受ける背凭部と、前記背凭部の後方に配置されて前記背凭部を支持するとともに、前記座部に連結される背凭支持部とを備える椅子であって、前記背凭支持部の上端近傍に配置される略水平な軸であり、前記背凭部の上側寄りを枢支し、前記背凭部の下端部を前後方向に揺動自在とする枢支軸と、前記下端部を前後方向に進退させるとともに、前記下端部の後方への移動を規制する後方移動規制部とを備え、前記枢支軸は、前記着座者の略第一腰椎から略第一胸椎までの高さに配置され、前記下端部は前記着座者の略仙骨上部から略第４腰椎までの高さに配置され、前記後方移動規制部は、一端側に正ネジ、他端側に逆ネジを設ける長ネジ部材であって、長手方向を前記枢支軸に略平行状態で、前記背凭部又は前記背凭支持部に回動自在に保持される長ネジ部材と、前記正ネジ及び前記逆ネジにそれぞれが螺合する一対のナット部材と、前記一対のナット部材にそれぞれ配置され、前記長手方向に直交する一対の第２枢支軸と、前記長ネジ部材と対向配置される対向部材であり、前記長ネジ部材が前記背凭部に保持される場合は、前記背凭支持部に保持され、前記長ネジ部材が前記背凭支持部に保持される場合は、前記背凭部に保持される対向部材と、前記対向部材に並置される一対の枢支軸であって、前記第２枢支軸に略平行な一対の第３枢支軸と、前記一対の第２枢支軸のうち一方の第２枢支軸に一端側を枢支され、前記一対の第３枢支軸のうち一方の第３枢支軸に他端側を枢支される第１連結部材と、前記一対の第２枢支軸のうち他方の第２枢支軸に一端側を枢支され、前記一対の第３枢支軸のうち他方の第３枢支軸に他端側を枢支される第２連結部材とを備え、前記一対のナット部材は、前記長ネジ部材の回動に伴って前記長手方向に沿って相反する方向に離接移動し、前記対向部材と前記長ネジ部材との間隔が伸縮する、椅子である。
【００１４】
（削除）
【００１５】
（削除）
【００１６】
（削除）
【００１７】
（削除）
【発明の効果】
【００１８】
本発明によれば、座部と、前記座部に腰かける着座者の背中を受ける背凭部と、前記背凭部の後方に配置されて前記背凭部を支持するとともに、前記座部に連結される背凭支持部とを備える椅子であって、前記背凭支持部の上端近傍に配置される略水平な軸であり、前記背凭部の上側寄りを枢支し、前記背凭部の下端部を前後方向に揺動自在とする枢支軸と、前記下端部を前後方向に進退させるとともに、前記下端部の後方への移動を規制する後方移動規制部とを備え、前記枢支軸は、前記着座者の略第一腰椎から略第一胸椎までの高さに配置され、前記下端部は前記着座者の略仙骨上部から略第４腰椎までの高さに配置される構成であるから、枢支軸とその下方に配置される後方移動規制部とで背凭部の上下方向の傾斜を調整し、仙骨の生理的な姿勢を維持しつつ、胸椎の後方への移動を防ぐように着座者の上半身をサポートできるので  着座者は脊柱の生理的湾曲を維持しつつ着座可能となり、円背の防止に好適な椅子を提供できる。
【００１９】
また、前記後方移動規制部は、ネジ方向を前後方向に向けた状態で前記背凭支持部に取り付けられる雌ネジ部材と、前記雌ネジ部材に螺合する雄ネジ部材とを含み、前記雄ネジ部材の先端が前記背凭部の背面に当接する構成であるから、簡単な部材で後方移動規制部を実現できるので、着座者の脊柱の生理的湾曲を維持するために好適な椅子を安価に提供できる。
【００２０】
また、前記後方移動規制部は、一端側に正ネジ、他端側に逆ネジを設ける長ネジ部材であって、長手方向を前記枢支軸に略平行状態で、前記背凭部又は前記背凭支持部に回動自在に保持される長ネジ部材と、前記正ネジ及び前記逆ネジにそれぞれが螺合する一対のナット部材と、前記一対のナット部材にそれぞれ配置され、前記長手方向に直交する一対の第２枢支軸と、前記長ネジ部材と対向配置される対向部材と、前記対向部材に並置される一対の枢支軸であって、前記第２枢支軸に略平行な一対の第３枢支軸と、前記一対の第２枢支軸のうち一方の第２枢支軸に一端側を枢支され、前記一対の第３枢支軸のうち一方の第３枢支軸に他端側を枢支される第１連結部材と、前記一対の第２枢支軸のうち他方の第２枢支軸に一端側を枢支され、前記一対の第３枢支軸のうち他方の第３枢支軸に他端側を枢支される第２連結部材とを備え、前記一対のナット部材は、前記長ネジ部材の回動に伴って前記長手方向に沿って相反する方向に離接移動し、前記対向部材と前記長ネジ部材との間隔が伸縮する構成であるから、例えば背凭部の略横幅の長さの長ネジ部材を背凭部の背面側で保持し、対向部材を背凭支持部で保持すれば、長ネジ部材を回動させることで背凭部と背凭支持部との間隔が伸縮し、背凭部の上下方向の傾斜を調整できるので、例えば劇場用の椅子やリクライニング椅子等の様に、椅子の背面に手を回すことができない場合であっても、長ネジ部材の端が背凭部の側部に位置することから、その側部に手を回して端を回動させることで、背凭部の傾斜を調整可能となり、汎用性が高まる。
【００２１】
また、前記背凭支持部は、昇降可能に前記座部に連結される構成であるから、例えば、着座者に応じて背凭部の高さを調整可能等の利便性が高まる。
【００２２】
また、座部と、前記座部に腰かける着座者の背中を受ける背凭部と、前記背凭部の後方に配置されて前記背凭部を支持する背凭支持部と、前記背凭支持部の上端近傍に配置される略水平な軸であり、前記背凭部の上側寄りに連結され、前記背凭部の下端部を揺動自在とする枢支軸と、前記下端部を前後方向に進退させるとともに、前記下端部の後方への移動を規制する後方移動規制部とを備える椅子により前記着座者の背中を受ける着座者の背受方法であって、前記枢支軸は、前記着座者の略第一腰椎から略第一胸椎までの高さに配置され、前記下端部は前記着座者の略仙骨上部から略第４腰椎までの高さに配置された状態で前記着座者の背中を受ける構成であるから、枢支軸とその下方に配置される後方移動規制部とで背凭部の上下方向の傾斜を調整し、仙骨の生理的な姿勢を維持しつつ、胸椎の後方への移動を防ぐように着座者の上半身をサポートできるので  着座者は脊柱の生理的湾曲を維持しつつ着座可能となり、円背の防止に好適な着座者の背受方法を提供できる。
【図面の簡単な説明】
【００２３】
【図１】人の脊柱の生理的湾曲を示す説明図である。
【図２】着座時の脊柱の例を示す説明図である。
【図３】着座時の脊柱の例を示す説明図である。
【図４】本発明の実施形態における第１実施例に係る椅子の側面説明図である。
【図５】本発明の実施形態における第１実施例に係る椅子の背面説明図である。
【図６】本発明の実施形態における第２実施例に係る椅子の斜視説明図である。
【図７】本発明の実施形態における第２実施例に係る椅子の側面説明図である。
【図８】（ａ）は、図７のＡ−Ａ線矢視図であり、（ｂ）は、図７のＢ−Ｂ線矢視図である。
【発明を実施するための形態】
【００２４】
本発明の好適な実施形態の例について、図を用いて説明する。
まず、本実施形態における第１実施例に係る椅子１０について図４及び図５を用いて説明する。本実施例の椅子１０は、図４及び図５に示すように、脚部１２に支持される座部１４、着座者の背中を受ける背凭部１６、背凭部１６の後方に配置されて背凭部１６を支持する背凭支持部１８、背凭部１６を背凭支持部１８に連結するリンク部材４６、背凭支持部１８を座部１４に連結させる連結部２０、後方移動規制部５０等を備える。
【００２５】
本実施例の座部１４は、図４に示すように、例えば一人の臀部を載せることが可能な大きさで平面視略矩形状の座板１３の上にクッション材１５、クッション材１５を覆うカバー布等を設けた公知の構成とすることができる。座部は、本実施例の構成に限るものではなく、平面視矩形状に限らず略円形であっても良い。また、座部は、ベンチ等で用いられる様に、複数人が腰かけることが可能な長方形状であってもよい。
【００２６】
次に、本実施例の脚部１２は、例えば座部１４の四隅から下方に突設される棒状部材で形成され、座部１４を支持する。脚部は、本実施例の構成に限るものではなく、例えば５本の脚部材を放射状に配置し、放射状の中央に支持筒部材を立設し、座部側から垂下させる回転軸を筒部材で回転自在に枢支する公知の構成であっても良い。また、ベンチ等のような長椅子の場合、座部の長さに応じた脚の本数としてもよい。また、脚部の下端にキャスターを設け、移動自在な構成としてもよい。
【００２７】
次に、連結部２０は、図４及び図５に示す様に、基部２２及び基部２２に連結される筒材２４を備える。
基部２２は、図４及び図５に示すように、例えば平面視矩形状の板状部材の様に、座部１４の底に座部１４と重ね合わせ状に取り付けることができる任意の形状で形成できる。そして、基部２２は、ボルト２６等の連結手段で座部１４の底部に固定される。
【００２８】
次に、筒材２４は、図４に示すように、例えば棒状の中空丸筒部材の基端側２４ａをＬ字状に折曲形成される。そして２本の筒材２４，２４が、図４及び図５に示すように、その長手方向を略垂直方向に向けた状態で平行に配置され、基端側２４ａを基部２２の後端部に、例えば挿入して固定される。なお、筒材２４は、図４及び図５に示すように、その上端寄りの背面側に、筒材２４の中空部に連通する孔３６を穿設し、その孔３６にピン部材３４を挿入させるが、この点については再述する。
【００２９】
次に、本実施例の背凭支持部１８は、図４及び図５に示すように、縦筒部材２８，２８と、軸部材３０と、横板材３２とを備える。
縦筒部材２８は、図４及び図５に示すように、例えば筒材２４の筒孔に嵌合可能な直径で棒状の丸筒部材で形成される。この縦筒部材２８には、図４及び図５に示すように、長手方向に沿って、縦筒部材２８の内部に連通する複数の穴３５，３５・・・が、所定の間隔を設けて穿設される。そして、縦筒部材２８，２８は、図５に示すように、その長手方向を略垂直方向に向け、穴３５，３５・・・を後方に向けた状態で、筒材２４，２４と同じ間隔で配置される。
【００３０】
次に、軸部材３０は、図４及び図５に示すように、例えば縦筒部材２８，２８と略同じ径の丸棒部材で形成される。そして、軸部材３０は、図５に示すように、縦筒部材２８，２８の上端間に略水平に横架され、その両端が、例えばネジ２９，２９等の連結手段でそれぞれ縦筒部材２８，２８に連結される。このように配置される軸部材３０は、図４に示すように、背凭部１６を背凭支持部１８で支持した場合、着座者の背面に対して略平行に配置され、その中心軸が、後述する枢支軸３１を形成する。
【００３１】
次に、横板材３２は、図５に示すように、縦筒部材２８，２８の間隔と略同じ長さの板材で形成される。そして、横板材３２は、図４に示すように、その板面を縦筒部材２８，２８の長手方向と略平行にし、縦筒部材２８，２８の中途を横架する態様で配置され、その両端が縦筒部材２８，２８にそれぞれ固定される。なお、横板材３２は、図５に示す様に、後述する後方移動規制部５０を配置する。
【００３２】
このように構成される背凭支持部１８は、図４及び図５に示すように、その縦筒部材２８，２８が筒材２４，２４の上方からその中空筒部にそれぞれ挿入される。従って、背凭支持部１８は、図５に示すように、筒材２４に沿って昇降可能に構成される。そして、縦筒部材２８は、図４に示すように、筒材２４に設けられた孔３６に挿入されるピン部材３４が、上述した穴３５のうちいずれかの穴３５に挿入されることで、背凭支持部１８の落下が規制されて所定の高さに固定される。
このように、本実施例の背凭支持部１８は、連結部２０を介して昇降可能に座部１４に連結される構成となっているのである。
なお、連結部は、本実施例の様に、２本の筒材を基部２２から立設する構成に限らず、１本の筒材を基部２２の後部中央近傍から立設させても良い。その場合、背凭支持部は、前記筒材に嵌合可能な１本の縦筒部材と、前記縦筒部材の上端に横丸棒を備え、背面視で略Ｔ字状に形成されてもよい。
さらに、背凭支持部は、本実施例の構成に限るものではなく、例えば連結部２０を無くし、座部１４に直接連結される構成であっても良い。
【００３３】
次に、背凭部１６は、図４及び図５に示すように、基板４２、背当部４４等を備える。
まず、基板４２は、図４及び図５に示すように、例えば着座者の背中を受けることができる大きさで略矩形状の板状部材で形成される。より詳しくは、基板４２の縦方向の長さは、図４に示すように、軸部材３０が着座者の略第９胸椎の高さに配置された場合、基板４２の下端部（１６ａ）は着座者の略仙骨上部の高さに配置される様に形成されるが、この点については再述する。
【００３４】
次に、背当部４４は、例えば基板４２と略同じ広さで、ある程度の厚みを有するクッション材及びこのクッション材を覆うカバー布材で形成される。そして、背当部４４は、図４及び図５に示すように、基板４２の前面側に重ね合わせ状に取り付けられる。
【００３５】
次に、リンク部材４６は、図４及び図５に示すように、例えば側面略Ｕ字状で、縦筒部材２８，２８の間に配置可能な長さを有するブロック部材で形成される。しかもリンク部材４６は、図４及び図５に示すように、その長さ方向に沿う貫通孔であり、断面が円形で軸部材３０を遊挿可能な丸孔４７を、側面視Ｕ字状の円弧側寄りに開孔して形成される。
【００３６】
このリンク部材４６は、図４及び図５に示すように、丸孔４７を軸部材３０に遊挿され、軸部材３０の中心軸（３１）回りに回動自在に軸支される。そして、リンク部材４６は、図４及び図５に示すように、その側面視Ｕ字状の円弧側と反対側の底面を、基板４２の上側寄りの背面にベース板４９を介して固設される。
【００３７】
従って背凭部１６は、図４及び図５に示すように、背当部４４側で着座者の背中を受けることが可能で、その下端部１６ａが前後方向に揺動自在となるように枢支される。
すなわち、本実施例の椅子１０は、背凭支持部１８の上端近傍に配置される略水平な軸であり、背凭部１６の上側寄りに連結され、背凭部１６の下端部を揺動自在とする枢支軸３１を備える構成となっているのである。
【００３８】
また、図４に示すように、本実施例において、背凭部１６の下端部１６ａから座部１４までの空間は、着座者の臀部の後部を受け入れる臀後部受入空間を形成する。なお、背凭部１６の下端部１６ａから座部１４までは、本実施例の空間に限るものではなく、臀後部を受け入れ可能な弾力性を有するクッション材等を配置し、臀後部受入部としても良い。
【００３９】
次に、後方移動規制部５０は、図４及び図５に示すように、雌ネジ部材５２と、雄ネジ部材５４とを備える。
雌ネジ部材５２は、例えば公知の筒状ナットで形成され、図４及び図５に示すように、そのネジ方向を前後方向に向けた状態で横板材３２の中央部に取り付けられる。
雄ネジ部材５４は、雌ネジ部材５２に螺合するボルトで形成される。そして、雄ネジ部材５４は、図４に示すように、例えばその長手方向の中央近傍が雌ネジ部材５２に螺合した状態で、雄ネジ部材５４の先端５４ａが背凭部の背面に当接する長さを有する。なお、図４において符号５３は、雄ネジ部材５４の反対端に設けられ、雄ネジ部材５４を回動させるためのつまみを示す。
【００４０】
従って、雄ネジ部材５４を雄ネジ部材５４に螺合させ、先端５４ａを背凭部１６の下端部１６ａに当接させつつ回転させることで、背凭部１６の下端部１６ａを前後方向に進退させることができる。そして、雄ネジ部材５４の先端５４ａが、下端部１６ａの背面に当接している状態で、下端部１６ａの後方への移動を規制する。
【００４１】
このように、下端部１６ａを前後方向に進退させることで、背凭部１６の傾斜角、すなわち背凭部１６の垂線に対する角度を変えることができる。従って、着座者が長時間同じ姿勢で使用する場合等に傾斜角を調整することで、長時間同じ姿勢を維持することにより蓄積しがちな身体の疲労を軽減できる。
【００４２】
上述のように、本実施例の椅子１０は、背凭部１６の下端部１６ａを前後方向に進退させるとともに、下端部１６ａの後方への移動を規制する後方移動規制部５０を備える構成となっているのである。
また、後方移動規制部５０は、ネジ方向を前後方向に向けた状態で背凭支持部１８に取り付けられる雌ネジ部材５２と、雌ネジ部材５２に螺合する雄ネジ部材５４とを含み、雄ネジ部材５４の先端５４ａが背凭部１６の背面に当接する構成となっているのである。
【００４３】
以上の様に構成される椅子１０に着座する際は、背凭支持部１８を筒材２４に沿って昇降させ、図４に示すように、例えば着座者の略第９胸椎の高さに軸部材３０を配置し、ピン部材３４で背凭支持部１８と連結部２０とを固定する。そうすることで、図４に示すように、軸部材３０に枢支される背凭部１６の下端部１６ａは、着座者の略仙骨上部、より詳しくは、第１仙椎近傍の高さまでに配置される。
次に、着座者の背中を背凭部１６で受けた際に生理的な仙骨の姿勢となる様に、後方移動規制部５０によって下端部１６ａの前後位置を調節するとともに、仙骨上端の後方への移動を規制する。
【００４４】
なお、軸部材３０の高さ、すなわち枢支軸３１の高さは、本実施例に限るものではなく、図４に示す様に、着座者の略第一腰椎から略第一胸椎までの高さ範囲Ａに配置されてもよい。また、下端部１６ａの高さも本実施例に限るものではなく、図４に示す様に、着座者の略仙骨上部から略第４腰椎までの高さ範囲Ｂに配置されてもよい。このような構成とすることで、図４に示すように、後方移動規制部５０を介して背凭部１６の傾斜を、脊柱の略第１湾曲部１から略第２湾曲部２までの生理的な傾斜に略同じにできる。
ここで、背凭部１６の下端部１６ａの高さを範囲Ｂとするのは、背凭部１６の下端部１６ａの高さが範囲Ｂを逸脱すると、仙骨上端が後方に移動し易くなり、脊柱の生理的な湾曲（特に第１湾曲）を維持し難くなるからである。
【００４５】
次に、本発明の実施形態における第２実施例に係る椅子について、図６〜図８を用いて説明する。第１実施例の椅子１０と、第２実施例の椅子６０との主な相違点は、後方移動規制部の構成にあり、以下、第１実施例と同様な部材には同じ符号或いは同じ符号に「´」を設けた符号を付し、その説明を省略する。また、図７（ａ）は、背凭部１６の下端部が背凭支持部に近付いた様子を示し、図７（ｂ）は、背凭部１６の下端部が背凭支持部から離れた様子を示す。また、図８（ａ）は、図７（ａ）のＡ−Ａ線矢視説明図を示し、図８（ｂ）は、図７（ｂ）のＢ−Ｂ線矢視説明図を示す。
本実施例の椅子６０は、図６に示すように、脚部１２、座部１４、背凭部１６、リンク部材４６´，４６´、背凭支持部６２、連結部２０、後方移動規制部６６等を備える。
【００４６】
本実施例の背凭支持部６２は、図６に示すように、逆Ｕ字状部材６４、支柱部材６８等を備える。
逆Ｕ字状部材６４は、例えば筒材２４の内側に嵌合可能な径を有する丸筒部材を、図６に示す様に、逆Ｕ字状に折曲して形成される。その際、図６に示すように、逆Ｕ字状部材６４の両側の縦丸筒部分６４ａ，６４ｂは、筒材２４，２４にそれぞれ嵌合可能に配置される。また、図６に示すように、上述した穴３５がこの縦丸筒部分６４ａ，６４ｂに穿設され、逆Ｕ字状部材６４は、ピン部材３４を介して筒材２４に固定可能となっている。
【００４７】
次に、支柱部材６８は、図６に示すように、例えば縦板部材６８ａと、丸棒部材６８ｂ等を備える。
縦板部材６８ａは、図６に示すように、逆Ｕ字状部材６４の上端部６４ｃの長さ長辺と、その長辺の略半分の短辺と、上述した丸筒部材の略直径の厚さとを有する長方形状の板材で形成される。そして、縦板部材６８ａは、図６に示すように、縦板部材６８ａの長辺を縦方向に向けた状態で、縦板部材６８ａの底部を逆Ｕ字状部材６４の上端部６４ｃの中央近傍に配置され、例えばネジ（図示しない）等で逆Ｕ字状部材６４に連結固定される。
【００４８】
次に、丸棒部材６８ｂは、図６に示すように、例えば縦板部材６８ａの略厚さの直径と、縦板部材６８ａの短辺の略２倍の長さを有する棒部材で形成される。そして、丸棒部材６８ｂは、図６に示すように、その長手方向を縦板部材６８ａの短辺に平行にした状態で、その中央近傍を縦板部材６８ａの頭部に例えば溶着されて固定される。本実施例の支柱部材６８は、図６に示すように、略Ｔ字状に形成される。
【００４９】
次に、リンク部材４６´は、図６に示すように、例えば上述したリンク部材４６と同様な形状で、しかも丸棒部材６８ｂを遊挿可能な貫通孔からなる丸孔４７´を備える。そして、２つのリンク部材４６´，４６´が、図６に示すように、その丸孔４７´，４７´に丸棒部材６８ｂの両端をそれぞれ遊挿させつつ、丸棒部材６８ｂの中心軸（３１）回りに回動自在に軸支される。このように形成されるリンク部材４６´，４６´は、図６に示すように、背凭部１６の上側寄りの背面に固設される。そのため、背凭部１６の下端側が前後方向に自在に揺動可能となる。
このように、丸棒部材６８ｂの中心軸が、背凭支持部６２の上端近傍に配置されるとともに背凭部１６の上側寄りを枢支し、背凭部１６の下端部を前後方向に揺動自在とする枢支軸３１として機能するのである。
【００５０】
次に、後方移動規制部６６は、図６に示すように、長ネジ部材７０、一対のナット部材７２ａ、７２ｂ、一対の連結部材７４ａ，７４ｂ、対向部材７６等を備える。
まず、長ネジ部材７０は、図６及び図８に示すように、丸棒部材の一端側に正ネジ８０ａ、他端側に正ネジ８０ａと同じピッチでネジ方向が逆の逆ネジ８０ｂをそれぞれ刻設されて形成される。そして長ネジ部材７０は、図６〜図８に示すように、その長手方向を枢支軸３１と略平行にし、基板４２の板面に略平行な状態で背凭部１６の背面の下端寄りに配置される。
【００５１】
この様に配置される長ネジ部材７０は、図６〜図８に示すように、背凭部１６の基板４２に固設される保持部材８２ａ，８２ｂにより、その左右端部をそれぞれ保持される。より詳しくは、保持部材８２ａ，８２ｂは、図６〜図８に示すように、略直方体状のブロック部材に、長ネジ部材７０の直径よりもわずかに大きい直径の嵌合孔８７ａ，８７ｂを長ネジ部材７０の長手方向に沿って開孔する。そして、保持部材８２ａ，８２ｂは、図８に示すように、長ネジ部材７０の両端部を嵌合孔８７ａ，８７ｂにそれぞれ遊挿させつつ、長ネジ部材７０を回動自在に保持する。
【００５２】
したがって、長ネジ部材７０は、上述の様に取り付けられた丸棒部材６８ｂと略平行、すなわち枢支軸３１と略平行状態で背凭部１６に回動自在に保持される構成となっているのである。
なお、図６〜図８において、符号７１は、長ネジ部材７０の一端に設けられて、長ネジ部材７０を回動させるためのツマミを示す。
【００５３】
次に、図６及び図８に示すように、一対のナット部材７２ａ、７２ｂのうち一方のナット部材７２ａは、長ネジ部材７０の正ネジ８０ａに螺合可能な雌ネジ部材で形成され、他方のナット部材７２ｂは、長ネジ部材７０の逆ネジ８０ｂに螺合可能な雌ネジ部材で形成される。
【００５４】
一方のナット部材７２ａは、図６及び図７に示すように、その上下端部に長ネジ部材７０の長手方向に略直交方向で断面が円形の枢支孔７５ａ，７５ｂを、それぞれ開孔する。また、他方のナット部材７２ｂも、その上下端部にナット部材７２ｂの長ネジ部材７０の長手方向に略直交方向で断面が円形の枢支孔７５ｃ，７５ｄをそれぞれ開孔する。そして、図６及び図８に示す様に、この枢支孔７５ａ，７５ｂの中心軸及び枢支孔７５ｃ，７５ｄの中心軸が、一対の第２枢支軸８４ａ，８４ｂを構成する。
【００５５】
次に、対向部材７６は、図６に及び図８に示すように、縦板部材６８ａの短辺の略１．５倍の長辺と、縦板部材６８ａの長辺の略１／５の短辺と、縦板部材６８ａの厚さの略２倍の厚さを有する厚板部材で形成される。対向部材７６は、図６及び図８に示すように、上述した長辺の中央部を短辺方向に貫通する貫通孔であって、縦板部材６８ａの断面形状と略同じ平面視矩形状の貫通孔７７を穿設される。
そして、対向部材７６は、図６及び図８に示すように、長ネジ部材７０の中央部に対向する位置に配置され、縦板部材６８ａに貫通孔７７を貫通させた状態で、縦板部材６８ａの縦方向の中途に例えばネジ（図示しない）等で固定される。このように、対向部材７６は、背凭支持部６２に保持される。
【００５６】
また、対向部材７６は、図６及び図８に示すように、後述する連結部材７４ａ，７４ｂを連結させる連結孔７９ａ，７９ｂを開孔する。この連結孔７９ａ，７９ｂは、図６及び図８に示すように、断面が円形で対向部材７６の両端近傍を短辺に沿ってそれぞれ貫通し、断面が円形の貫通孔で形成される。そして、図６及び図８に示す様に、この様に対向部材７６に並置される連結孔７９ａ，７９ｂの中心軸が、一対の第２枢支軸８４ａ，８４ｂに略平行な一対の第３枢支軸８８ａ，８８ｂを構成する。
【００５７】
次に、連結部材７４ａ，７４ｂは、例えば断面が円形の線材を折曲して形成される。具体的には、連結部材７４ａ，７４ｂは、図７（ｂ）に示すように、略コ字状の上下辺の開放端８５側が内側に向かってＬ字状にそれぞれ折曲される変形コ字状に形成される。
そして、一対の連結部材７４ａ，７４ｂのうち一方の連結部材７４ａは、図６〜図８に示すように、開放端８５側が枢支孔７５ａ，７５ｂにそれぞれ遊挿され、枢支孔７５ａ，７５ｂの中心軸回りに回動自在に連結される。すなわち連結部材７４ａの一端側は、一対の第２枢支軸８４ａ，８４ｂのうち一方の第２枢支軸８４ａに枢支される。一方、図６〜図８に示すように、開放端８５と反対側の縦棒部分８６が、連結孔７９ａに遊挿され、連結孔７９ａの中心軸回りに回動自在に連結される。すなわち連結部材７４ａの他端側は、一対の第３枢支軸８８ａ，８８ｂのうち第２枢支軸８４ａに近い第３枢支軸８８ａに枢支される。
このように、連結部材７４ａは、一端側をナット部材７２ａと連結し、他端側を対向部材７６と連結する。
【００５８】
同様に、一対の連結部材７４ａ，７４ｂのうち他方の連結部材７４ｂは、図６〜図８に示すように、開放端８５側が枢支孔７５ｃ，７５ｄにそれぞれ遊挿され、枢支孔７５ｃ，７５ｄの中心軸回りに回動自在に連結される。すなわち連結部材７４ｂの一端側は、一対の第２枢支軸８４ａ，８４ｂのうち他方の第２枢支軸８４ｂに枢支される。一方、図６〜図８に示すように、開放端８５と反対側の縦棒部分８６が、連結孔７９ｂに遊挿され、連結孔７９ｂの中心軸回りに回動自在に連結される。すなわち連結部材７４ｂの他端側は、一対の第３枢支軸８８ａ，８８ｂのうち第２枢支軸８４ｂに近い第３枢支軸８８ｂに枢支される。
このように、連結部材７４ｂは、一端側をナット部材７２ｂと連結し、他端側を対向部材７６と連結する。
【００５９】
本実施例の椅子６０を使用する際は、ツマミ７１を手で回して長ネジ部材７０を回動させる。その際、ナット部材７２ａ，７２ｂは、それぞれ連結部材７４ａ，７４ｂを介して対向部材７６に連結されているため、長ネジ部材７０が回動しても連結部材７４ａ，７４ｂを構成する線材の剛性によって回動が規制される。すなわち、ナット部材７２ａ、７２ｂは、その回動を規制されつつ長ネジ部材７０に螺合する。
そして、一対のナット部材７２ａ，７２ｂは、図８に示すように、長ネジ部材７０の長手方向に沿って相反する方向に接離移動する。そのため、図８に示す様に、背凭部１６と背凭支持部６２との間隔が伸縮し、背凭部１６の上下方向の傾斜を調整できる。
本実施例の椅子６０によれば、長ネジ部材７０のツマミ７１が背凭部１６の側部に位置するため、例えば劇場用の椅子やリクライニング椅子等の様に、椅子の背面に手を回すことができない場合であっても、ツマミ７１を手で回動させることで、背凭部の傾斜を調整可能となり、利便性及び汎用性が高まる。
【００６０】
なお、本実施例において、長ネジ部材７０は、背凭部１６で保持され、対向部材７６は背凭支持部１８で保持されるが、本実施例の構成に限るものではなく、逆に長ネジ部材７０が背凭支持部１８で保持され、対向部材が背凭部１６で保持される構成であってもよい。また、連結部材は、本実施例のように線材を折曲形成するものに限らず、板状等の任意の形状で形成できる。そして、公知の手段により板状の連結部材の一端をナット部材に枢支連結し、他端を対向部材に枢支連結すると良い。
【００６１】
以上説明した様に、本実施例の椅子１０，６０によれば、背凭部１６によって生理的な仙骨の状態を維持しつつ、着座者の腰部から上側部分が後方に倒れることを防止できるので、着座者の脊柱の生理的湾曲を維持しつつ着座可能なことから、長時間着座しても円背を防止可能な椅子提供できる。
【００６２】
また、本実施例の着座者の背受方法によれば、座部１４と、座部１４に腰かける着座者の背中を受ける背凭部１６と、背凭部１６の後方に配置されて背凭部１６を支持する背凭支持部１８，６２と、背凭支持部１８，６２の上端近傍に配置される略水平な軸であり、背凭部１６の上側寄りに連結され、背凭部１６の下端部１６ａを揺動自在とする枢支軸３１と、背凭部１６の下端の後方への移動を規制する後方移動規制部５０，６６とを備える椅子１０，６０により着座者の背中を受ける着座者の背受方法であって、枢支軸３１は、着座者の第一腰椎から第一胸椎までの高さに配置され、背凭部１６の下端部１６ａは前記着座者の仙骨上部から第４腰椎までの高さに配置された状態で着座者の背中を受ける構成であるから、背凭部１６によって生理的な仙骨の状態を維持しつつ、着座者の腰部から上側部分が後方に倒れることを防止できるので、着座者の脊柱の生理的湾曲を維持しつつ着座可能なことから、長時間着座しても円背を防止可能な着座者の背受方法を提供できる。
【００６３】
以上、本発明の実施形態のうちいくつかを図面に基づいて詳細に説明したが、これらはあくまでも例示であり、当業者の知識に基づいて種々の変形、改良を施した他の形態で本発明を実施することが可能である。
【符号の説明】
【００６４】
１０，６０  椅子
１４  座部
１６  背凭部
１６ａ  下端部
１８  背凭支持部
３１  枢支軸
５０，６６  後方移動規制部
５２  雌ネジ部材
５４  雄ネジ部材
７０  長ネジ部材
７２ａ，７２ｂ  一対のナット部材
７６  対向部材
７４ａ，７４ｂ  一対の連結部材
８４ａ，８４ｂ  一対の第２枢支軸
８８ａ，８８ｂ  一対の第３枢支軸
【図１】
0005877880.tif 000002
【図２】
0005877880.tif 000003
【図３】
0005877880.tif 000004
【図４】
0005877880.tif 000005
【図５】
0005877880.tif 000006
【図６】
0005877880.tif 000007
【図７】
0005877880.tif 000008
【図８】
0005877880.tif 000009